(57)【要約】【課題】色付き板状紙片を適宜組み合わせて組み立てることにより種々の色が組み合わされた立体造形物を作製可能な色組み合わせ玩具を提供する。【解決手段】所定の平面形状及び所定の色彩を有する色付き板状紙片を平面形状及び色彩のそれぞれについて複数種類ずつ備え、これらの色付き板状紙片を適宜組み合わせて組み立てることにより種々の色が組み合わされた立体造形物２０，２２を作製可能な色組み合わせ玩具であって、色付き板状紙片は、外周所定部分から内部所定部分に至る非直線状の切り込みを有する色組み合わせ玩具。【選択図】図８
0003158723.tif 000002
【実用新案登録請求の範囲】
【請求項１】
所定の平面形状及び所定の色彩を有する色付き板状紙片を平面形状及び色彩のそれぞれについて複数種類ずつ備え、これらの色付き板状紙片を適宜組み合わせて組み立てることにより種々の色が組み合わされた立体造形物を作製可能な色組み合わせ玩具であって、
前記色付き板状紙片は、外周所定部分から内部所定部分に至る非直線状の切り込みを有することを特徴とする色組み合わせ玩具。
【請求項２】
請求項１に記載の色組み合わせ玩具において、
前記色付き板状紙片は、所定の厚さ寸法を有し、
前記切り込みの幅ｗ及び前記色付き板状紙片の厚さｔは、「０．９×ｔ≦ｗ≦１．０５×ｔ」の関係を満たすことを特徴とする色組み合わせ玩具。
【請求項３】
請求項１又は２に記載の色組み合わせ玩具において、
前記切り込みは、所定の曲率半径を有する円の軌跡に沿って形成されていることを特徴とする色組み合わせ玩具。
【請求項４】
請求項３に記載の色組み合わせ玩具において、
前記切り込みの長さＬ（ｍｍ）及び前記所定の曲率半径ｒ（ｍｍ）は、「０．２５×Ｌ２≦ｒ≦０．６５×Ｌ２」の関係を満たすことを特徴とする色組み合わせ玩具。
【請求項５】
請求項１〜４のいずれかに記載の色組み合わせ玩具において、
前記切り込みの基端角部には、面取り処理又は丸め処理が施されていることを特徴とする色組み合わせ玩具。
【請求項６】
請求項１〜５のいずれかに記載の色組み合わせ玩具において、
前記色付き板状紙片として、同一平面形状毎に、色彩の異なる２以上の色付き板状紙片を備えることを特徴とする色組み合わせ玩具。
【請求項７】
請求項１〜６のいずれかに記載の色組み合わせ玩具において、
前記色付き板状紙片として、表裏で色彩の異なる色付き板状紙片を備えることを特徴とする色組み合わせ玩具。
【請求項８】
請求項１〜７のいずれかに記載の色組み合わせ玩具において、
前記色付き板状紙片として、同一平面形状毎に、平面サイズの異なる２以上の色付き板状紙片を備えることを特徴とする色組み合わせ玩具。
【請求項９】
請求項１〜８のいずれかに記載の色組み合わせ玩具において、
前記色付き板状紙片として少なくとも、
平面形状が円であり、円の周所定部分から円の内部所定部分に至る非直線状の切り込みを有する色付き板状紙片と、
平面形状が正三角形であり、正三角形の辺所定部分から正三角形の内部所定部分に至る非直線状の切り込みを有する色付き板状紙片と、
平面形状が正三角形であり、正三角形の頂点から正三角形の内部所定部分に至る非直線状の切り込みを有する色付き板状紙片とを
平面形状が正方形であり、正方形の辺所定部分から正方形の内部所定部分に至る非直線状の切り込みを有する色付き板状紙片と、
平面形状が正方形であり、正方形の頂点から正方形の内部所定部分に至る非直線状の切り込みを有する色付き板状紙片とを備えることを特徴とする色組み合わせ玩具。
【請求項１０】
請求項９に記載の色組み合わせ玩具において、
前記色付き板状紙片として、
平面形状が楕円であり、楕円の周所定部分から楕円の内部所定部分に至る非直線状の切り込みを有する色付き板状紙片をさらに備えることを特徴とする色組み合わせ玩具。
【請求項１１】
請求項１〜１０のいずれかに記載の色組み合わせ玩具において、
前記色付き板状紙片として少なくとも、
色相の異なる２以上の色付き板状紙片を備えることを特徴とする色組み合わせ玩具。
【請求項１２】
請求項１１に記載の色組み合わせ玩具において、
前記色付き板状紙片として少なくとも、
赤色の色付き板状紙片と、
黄色の色付き板状紙片と、
緑色の色付き板状紙片と、
青色の色付き板状紙片と、
白色の色付き板状紙片と、
黒色の色付き板状紙片とを備えることを特徴とする色組み合わせ玩具。
【請求項１３】
請求項１１に記載の色組み合わせ玩具において、
前記色付き板状紙片として少なくとも、
表が赤色で裏がオレンジ色の色付き板状紙片と、
表が山吹色で裏が黄色の色付き板状紙片と、
表が黄緑色で裏が緑色の色付き板状紙片と、
表が青緑色で裏が青色の色付き板状紙片と、
白色の色付き板状紙片と、
黒色の色付き板状紙片とを備えることを特徴とする色組み合わせ玩具。
【請求項１４】
請求項１〜１０のいずれかに記載の色組み合わせ玩具において、
前記色付き板状紙片として少なくとも、
明度の異なる２以上の色付き板状紙片を備えることを特徴とする色組み合わせ玩具。
【請求項１５】
請求項１４に記載の色組み合わせ玩具において、
前記色付き板状紙片として少なくとも、
クリーム色の色付き板状紙片と、
ベージュ色の色付き板状紙片と、
ココア色の色付き板状紙片と、
ブラウン色の色付き板状紙片と、
白色の色付き板状紙片と、
黒色の色付き板状紙片とを備えることを特徴とする色組み合わせ玩具。
【請求項１６】
請求項１４に記載の色組み合わせ玩具において、
前記色付き板状紙片として少なくとも、
表が白色で裏が薄い紫色の色付き板状紙片と、
表が明るいグレー色で裏が薄い水色の色付き板状紙片と、
表が暗いグレー色で裏が水色の色付き板状紙片と、
表が黒色で裏が青色の色付き板状紙片とを備えることを特徴とする色組み合わせ玩具。
【請求項１７】
請求項１〜１０のいずれかに記載の色組み合わせ玩具において、
前記色付き板状紙片として少なくとも、
彩度の異なる２以上の色付き板状紙片を備えることを特徴とする色組み合わせ玩具。
【考案の詳細な説明】
【技術分野】
【０００１】
本考案は、色組み合わせ玩具に関する。
【背景技術】
【０００２】
従来、所定の形状片を適宜組み合わせて組み立てることにより立体造形物を作製可能な組み合わせ玩具が知られている（例えば、特許文献１〜３参照。）。
【０００３】
図１４は、従来の組み合わせ玩具７００を説明するために示す図である。図１４（ａ）は組み合わせ玩具７００を構成する板７１０を示す図であり、図１４（ｂ）は組み合わせ玩具７００によって作製された立体造形物７２０の一例を示す図である。
【０００４】
従来の組み合わせ玩具７００は、図１４に示すように、ほぼ三角形の平らな板７１０を適宜組み合わせて組み立てることにより立体造形物７２０を作製可能な組み合わせ玩具である。板７１０は、板７１０の厚さとほぼ同じ幅を有し板７１０の縁部から中心部に向かって内側に延びる複数個の切り込み７１２を有する。そして、板７１０は、当該切り込み７１２が他の板７１０の切り込み７１２と取り外し可能なように互いに挿入してかみ合うのに適した外形を有する。切り込み７１２は、板７１０における各角の頂点及び各辺の中点に設けられている。切り込み７１２は、板７１０の厚さの５倍以下の長さを有する。
【０００５】
従来の組み合わせ玩具７００によれば、板７１０の幾つかを取り外しできるように嵌め合わせてバラエティある構造とすることができる。また、従来の組み合わせ玩具７００によれば、板の部分の折れる心配がほとんど無いので縁の鋭さをいつまでも保つことができ、同時に、バラエティに富んだ構造を作ることのできるような、組み合わせ玩具を提供することができる。
【０００６】
図１５は、従来の組み合わせ玩具８００を説明するために示す図である。図１５（ａ）は組み合わせ玩具８００を構成する板状部材８１０を示す図であり、図１５（ｂ）及び図１５（ｃ）は組み合わせ玩具８００によって作製された立体造形物８２０の一例を示す図である。
【０００７】
従来の組み合わせ玩具８００は、図１５に示すように、長方形の板状部材８１０を適宜組み合わせて組み立てることにより立体造形物８２０を作製可能な組み合わせ玩具である。板状部材８１０は、図１５（ａ）に示すように、上側長辺の中央部分に間隔をおいて下方に伸びる２つの係合溝８１２と、下側長辺における係合溝８１２よりも外側の位置に上方に伸びる２つの係合溝８１４を有する。係合溝８１２，８１４の溝幅は、板状部材８１０の厚さよりも広く形成されている。
【０００８】
従来の組み合わせ玩具８００によれば、形状がシンプルで、重量が軽く、組み立て時間が短時間で大きな平面形状、立体形状の組み立てが可能で、建築構造物の組み立て用としても組立玩具としても適用可能な組み合わせ玩具となる。
【０００９】
図１６は、従来の組み合わせ玩具９００を説明するために示す図である。図１６（ａ）は組み合わせ玩具９００を構成する玩具組立基台９１０、玩具組立部品９２０及び玩具組立シート用部品９３０を示す図であり、図１６（ｂ）は組み合わせ玩具９００によって作製された立体造形物９４０の一例を示す図である。
【００１０】
従来の組み合わせ玩具９００は、図１６に示すように、下部に凹部を有し上部に溝９２２を有する玩具組立部品９２０を、上部に多数の凸部９１２が配列された玩具組立基台９１０上に適宜配置するとともに、玩具組立部品９２０の溝９２２に柔軟性及び弾性があり変形可能な玩具組立シート用部品９３０を嵌め込むことにより立体造形物９４０を作製可能な組み合わせ玩具である。
【００１１】
従来の組み合わせ玩具９００によれば、様々な有機的形状をもたせることができ、また、特別な組み立て手段を使用せずに玩具組立部品９２０上に玩具組立シート用部品９３０が直接載置された立体造形物９４０を作製することができる。
【先行技術文献】
【特許文献】
【００１２】
【特許文献１】実願昭４８−１４４６００号のマイクロフィルムの写し
【特許文献２】特開２００８−１５６９１２号公報
【特許文献３】特表２００３−５０８１７５号公報
【考案の概要】
【考案が解決しようとする課題】
【００１３】
しかしながら、従来、所定の平面形状及び所定の色彩を有する色付き板状紙片を平面形状及び色彩のそれぞれについて複数種類ずつ備え、これらの色付き板状紙片を適宜組み合わせて組み立てることにより種々の色が組み合わされた立体造形物を作製可能な色組み合わせ玩具は知られていない。
【００１４】
本考案は、色付き板状紙片を適宜組み合わせて組み立てることにより種々の色が組み合わされた立体造形物を作製可能な色組み合わせ玩具を提供することを目的とする。
【課題を解決するための手段】
【００１５】
［１］本考案の色組み合わせ玩具は、所定の平面形状及び所定の色彩を有する色付き板状紙片を平面形状及び色彩のそれぞれについて複数種類ずつ備え、これらの色付き板状紙片を適宜組み合わせて組み立てることにより種々の色が組み合わされた立体造形物を作製可能な色組み合わせ玩具であって、前記色付き板状紙片は、外周所定部分から内部所定部分に至る非直線状の切り込みを有することを特徴とする。
【００１６】
本考案の色組み合わせ玩具は、色付き板状紙片（色の付いた厚紙）を適宜組み合わせて組み立てることにより種々の色が組み合わされた立体造形物を作製可能な色組み合わせ玩具である。このとき、本考案の色組み合わせ玩具によれば、所定の平面形状及び所定の色彩を有する色付き板状紙片を平面形状及び色彩のそれぞれについて複数種類ずつ備えているため、本考案の色組み合わせ玩具の使用者は、配色を考えながら色付き板状紙片を適宜組み合わせて立体造形物を組み立てる過程で楽しみながら無理なく配色（特に立体配色）の勉強ができるようになる。
【００１７】
また、本考案の色組み合わせ玩具によれば、立体造形作業に馴染みのない使用者であっても、本考案の色組み合わせ玩具を用いて、配色を考えながら色付き板状紙片を適宜組み合わせる作業を行ううちに、いつのまにか、立体造形物の形状に合った配色を有し、ちょっとした飾り物になるほどの立体造形物（オブジェ）を作製することができる。
【００１８】
また、本考案の色組み合わせ玩具によれば、色付き板状紙片が、外周所定部分から内部所定部分に至る非直線状の切り込みを有するため、色付き板状紙片同士が極くわずかに湾曲した状態で嵌め合わされるようになる。このため、色付き板状紙片同士が紙の剛性でしっかりと強固に嵌め合わされるようになり、色付き板状紙片同士がぐらぐらして不安定な状態になることが無くなる。その結果、本考案の色組み合わせ玩具の使用者は、余計なことに気をつかうことなく「配色を考えながら色付き板状紙片を組み合わせる作業」に専念することができるようになる。
【００１９】
［２］本考案の色組み合わせ玩具においては、前記色付き板状紙片は、所定の厚さ寸法を有し、前記切り込みの幅ｗ及び前記色付き板状紙片の厚さｔは、「０．９×ｔ≦ｗ≦１．０５×ｔ」の関係を満たすことが好ましい。
【００２０】
このように構成することにより、色付き板状紙片同士をしっかりと強固に嵌め合わせることができるようになる。また、色付き板状紙片同士を組み合わせる際の作業性を良くすることができるようになる。
【００２１】
［３］本考案の色組み合わせ玩具においては、前記切り込みは、所定の曲率半径を有する円の軌跡に沿って形成されていることが好ましい。
【００２２】
このように構成することにより、色付き板状紙片同士をしっかりと強固に嵌め合わせることができるようになる。また、色付き板状紙片同士を嵌め合わせる際の作業性を良くすることができるようになる。さらにまた、色付き板状紙片を構成する板状紙片に対して切り込みを入れる作業を容易に、かつ、正確に行うことが可能となる。
【００２３】
［４］本考案の色組み合わせ玩具においては、前記切り込みの長さＬ（ｍｍ）及び前記所定の曲率半径ｒ（ｍｍ）は、「０．２５×Ｌ２≦ｒ≦０．６５×Ｌ２」の関係を満たすことが好ましい。
【００２４】
ここで、切り込みの長さＬ及び所定の曲率半径ｒを「０．２５×Ｌ２≦ｒ」としたのは、所定の曲率半径ｒを「０．２５×Ｌ２」よりも小さくした場合には、色付き板状紙片の湾曲の程度が大きくなり過ぎて、色付き板状紙片同士を嵌め合わせる際の作業性が悪くなる場合があるからである。一方、切り込みの長さＬ及び所定の曲率半径ｒを「ｒ≦０．６５×Ｌ２」としたのは、所定の曲率半径ｒを「０．６５×Ｌ２」よりも大きくした場合には、色付き板状紙片の湾曲の程度が小さくなりすぎて、色付き板状紙片同士をしっかりと強固に嵌め合わせることができなくなる場合があるからである。このような観点から言えば、切り込みの長さＬ及び所定の曲率半径ｒは、「０．３５×Ｌ２≦ｒ≦０．５５×Ｌ２」の関係を満たすことがより好ましい。
【００２５】
［５］本考案の色組み合わせ玩具においては、前記切り込みの基端角部には、面取り処理又は丸め処理が施されていることが好ましい。
【００２６】
このように構成することにより、色付き板状紙片同士を嵌め合わせる際の作業性を良くすることができるようになる。また、切り込みの基端角部が型崩れしてしまうのを効果的に抑制することができるようになる。
【００２７】
［６］本考案の色組み合わせ玩具においては、前記色付き板状紙片として、同一平面形状毎に、色彩の異なる２以上の色付き板状紙片を備えることが好ましい。
【００２８】
このように構成することにより、特定の平面形状を有する色付き板状紙片を他の色付き板状紙片と組み合わせようとしたとき、特定の平面形状を有する色付き板状紙片として、色彩の異なる２以上の色付き板状紙片の中から１の色付き板状紙片を選択することが必要となる。このため、常に配色を考えながら色付き板状紙片を組み合わせて立体造形物を組み立てることができるようになる。また、色の組み合わせの自由度が高くなり、より芸術性の高い立体造形物を作製することができるようになる。
【００２９】
［７］本考案の色組み合わせ玩具においては、前記色付き板状紙片として、表裏で色彩の異なる色付き板状紙片を備えることが好ましい。
【００３０】
このように構成することにより、比較的少ない種類の色付き板状紙片を用いてバラエティに富んだ立体造形物を作製することができるようになる。また、色の組み合わせの自由度が高くなり、より芸術性の高い立体造形物を作製することができるようになる。
【００３１】
［８］本考案の色組み合わせ玩具においては、前記色付き板状紙片として、同一平面形状毎に、平面サイズの異なる２以上の色付き板状紙片を備えることが好ましい。
【００３２】
このように構成することにより、特定の同一平面形状を有する色付き板状紙片を他の色付き板状紙片と組み合わせようとしたとき、特定の同一平面形状を有する色付き板状紙片の平面サイズの違いにより、組み合わせた後の配色バランスが微妙に変化するため、平面形状、平面サイズをも考慮に入れた上で総合的に配色を考えながら色付き板状紙片を組み合わせて立体造形物を組み立てることができるようになる。
【００３３】
［９］本考案の色組み合わせ玩具においては、前記色付き板状紙片として少なくとも、平面形状が円であり、円の周所定部分から円の内部所定部分に至る非直線状の切り込みを有する色付き板状紙片と、平面形状が正三角形であり、正三角形の辺所定部分から正三角形の内部所定部分に至る非直線状の切り込みを有する色付き板状紙片と、平面形状が正三角形であり、正三角形の頂点から正三角形の内部所定部分に至る非直線状の切り込みを有する色付き板状紙片と、平面形状が正方形であり、正方形の辺所定部分から正方形の内部所定部分に至る非直線状の切り込みを有する色付き板状紙片と、平面形状が正方形であり、正方形の頂点から正方形の内部所定部分に至る非直線状の切り込みを有する色付き板状紙片とを備えることが好ましい。
【００３４】
このように、平面形状が円である色付き板状紙片と、平面形状が正三角形である２種類の色付き板状紙片と、平面形状が正方形である２種類の色付き板状紙片を備えることにより、基本的な平面形状を有する比較的少ない種類の色付き板状紙片を用いて、バラエティに富んだ立体造形物を作製することができるようになる。
【００３５】
［１０］本考案の色組み合わせ玩具においては、前記色付き板状紙片として、平面形状が楕円であり、楕円の周所定部分から楕円の内部所定部分に至る非直線状の切り込みを有する色付き板状紙片をさらに備えることが好ましい。
【００３６】
このように、平面形状が楕円である色付き板状紙片をさらに備えることにより、より一層バラエティに富んだ立体造形物を作製することができるようになる。
【００３７】
［１１］本考案の色組み合わせ玩具においては、前記色付き板状紙片として少なくとも、色相の異なる２以上の色付き板状紙片を備えることが好ましい。
【００３８】
このように構成することにより、色相の異なる２以上の色付き板状紙片を用いてバラエティに富んだ立体造形物を作製することができるようになる。
【００３９】
［１２］本考案の色組み合わせ玩具においては、前記色付き板状紙片として少なくとも、赤色の色付き板状紙片と、黄色の色付き板状紙片と、緑色の色付き板状紙片と、青色の色付き板状紙片と、白色の色付き板状紙片と、黒色の色付き板状紙片とを備えることが好ましい。
【００４０】
このように、色付き板状紙片として、赤色の色付き板状紙片と、黄色の色付き板状紙片と、緑色の色付き板状紙片と、青色の色付き板状紙片と、白色の色付き板状紙片と、黒色の色付き板状紙片とを備えることにより、比較的少ない色種の色付き板状紙片を用いて、バラエティに富んだ立体造形物を作製することができるようになる。
【００４１】
なお、本考案の色組み合わせ玩具においては、白色の色付き板状紙片には白色に近い無彩色（例えば薄い灰色）又は有彩色（例えば薄いクリーム色）の色付き板状紙片が含まれるものとし、黒色の色付き板状紙片には黒に近い無彩色（例えば濃い灰色）又は有彩色（例えば濃い藍色）の色付き板状紙片が含まれるものとする。また、赤色の色付き板状紙片、黄色の色付き板状紙片、緑色の色付き板状紙片又は青色の色付き板状紙片としては、派手な色の色付き板状紙片を用いることもできるが、淡い色の色付き板状紙片を用いることが視覚デザイン上好ましい。
【００４２】
［１３］本考案の色組み合わせ玩具においては、前記色付き板状紙片として少なくとも、表が赤色で裏がオレンジ色の色付き板状紙片と、表が山吹色で裏が黄色の色付き板状紙片と、表が黄緑色で裏が緑色の色付き板状紙片と、表が青緑色で裏が青色の色付き板状紙片と、白色の色付き板状紙片と、黒色の色付き板状紙片とを備えることが好ましい。
【００４３】
このように、色付き板状紙片として、表が赤色で裏がオレンジ色の色付き板状紙片と、表が山吹色で裏が黄色の色付き板状紙片と、表が黄緑色で裏が緑色の色付き板状紙片と、表が青緑色で裏が青色の色付き板状紙片と、白色の色付き板状紙片と、黒色の色付き板状紙片とを備えることにより、比較的少ない種類の色付き板状紙片を用いて、バラエティに富んだ立体造形物を作製することができるようになる。
【００４４】
［１４］本考案の色組み合わせ玩具においては、前記色付き板状紙片として少なくとも、明度の異なる２以上の色付き板状紙片を備えることが好ましい。
【００４５】
このように構成することにより、明度の異なる２以上の色付き板状紙片を用いて立体感に富んだ立体造形物を作製することができるようになる。
【００４６】
［１５］本考案の色組み合わせ玩具においては、前記色付き板状紙片として少なくとも、クリーム色の色付き板状紙片と、ベージュ色の色付き板状紙片と、ココア色の色付き板状紙片と、ブラウン色の色付き板状紙片と、白色の色付き板状紙片と、黒色の色付き板状紙片とを備えることが好ましい。
【００４７】
このように、色付き板状紙片として、クリーム色の色付き板状紙片と、ベージュ色の色付き板状紙片と、ココア色の色付き板状紙片と、ブラウン色の色付き板状紙片と、白色の色付き板状紙片と、黒色の色付き板状紙片とを備えることにより、比較的少ない色種の色付き板状紙片を用いて立体感に富んだ立体造形物を作製することができるようになる。
【００４８】
［１５］本考案の色組み合わせ玩具においては、前記色付き板状紙片として少なくとも、表が白色で裏が薄い紫色の色付き板状紙片と、表が明るいグレー色で裏が薄い水色の色付き板状紙片と、表が暗いグレー色で裏が水色の色付き板状紙片と、表が黒色で裏が青色の色付き板状紙片とを備えることが好ましい。
【００４９】
このように、色付き板状紙片として、表が白色で裏が薄い紫色の色付き板状紙片と、表が明るいグレー色で裏が薄い水色の色付き板状紙片と、表が暗いグレー色で裏が水色の色付き板状紙片と、表が黒色で裏が青色の色付き板状紙片とを備えることにより、比較的少ない種類の色付き板状紙片を用いて立体感に富んだ立体造形物を作製することができるようになる。
【００５０】
［１６］本考案の色組み合わせ玩具においては、前記色付き板状紙片として少なくとも、彩度の異なる２以上の色付き板状紙片を備えることが好ましい。
【００５１】
このように構成することにより、彩度の異なる２以上の色付き板状紙片を用いて存在感のある立体造形物を作製することができるようになる。
【図面の簡単な説明】
【００５２】
【図１】実施形態に係る色組み合わせ玩具１０を説明するために示す図。
【図２】色付き板状紙片１００，１１０，１２０の形状を説明するために示す図。
【図３】色付き板状紙片２００，２１０，２２０を形状を説明するために示す図。
【図４】色付き板状紙片３００，３１０，３２０の形状を説明するために示す図。
【図５】色付き板状紙片４００，４１０，４２０の形状を説明するために示す図。
【図６】色付き板状紙片５００，５１０，５２０の形状を説明するために示す図。
【図７】色付き板状紙片６００，６１０，６２０の形状を説明するために示す図。
【図８】複数の色付き板状紙片を適宜組み合わせて組み立てることにより作製された立体造形物の例を示す図。
【図９】切り込みの幅ｗと色付き板状紙片の厚さｔとの関係を示す図。
【図１０】切り込みの形状を説明するために示す図。
【図１１】切り込みの形状を説明するために示す図。
【図１２】切り込みの基端角部の形状を説明するために示す図。
【図１３】２つの色付き板状紙片を組み合わせたときの様子を示す図。
【図１４】従来の組み合わせ玩具７００を説明するために示す図である。
【図１５】従来の組み合わせ玩具８００を説明するために示す図である。
【図１６】従来の組み合わせ玩具９００を説明するために示す図である。
【考案を実施するための形態】
【００５３】
以下、本考案の色組み合わせ玩具について、図に示す実施の形態に基づいて説明する。
【００５４】
１．実施形態に係る色組み合わせ玩具１０
図１は、実施形態に係る色組み合わせ玩具１０を説明するために示す図である。図１（ａ）は色付き板状紙片１００，１１０，１２０の平面図であり、図１（ｂ）は色付き板状紙片２００，２１０，２２０の平面図であり、図１（ｃ）は色付き板状紙片３００，３１０，３２０の平面図であり、図１（ｄ）は色付き板状紙片４００，４１０，４２０の平面図であり、図１（ｅ）は色付き板状紙片５００，５１０，５２０の平面図であり、図１（ｆ）は色付き板状紙片６００，６１０，６２０の平面図である。
【００５５】
図２は、色付き板状紙片１００，１１０，１２０を説明するために示す図である。図２（ａ）は色付き板状紙片１００の平面図及び側面図であり、図２（ｂ）は色付き板状紙片１１０の平面図及び側面図であり、図２（ｃ）は色付き板状紙片１２０の平面図及び側面図である。
【００５６】
図３は、色付き板状紙片２００，２１０，２２０を説明するために示す図である。図３（ａ）は色付き板状紙片２００の平面図及び側面図であり、図３（ｂ）は色付き板状紙片２１０の平面図及び側面図であり、図３（ｃ）は色付き板状紙片２２０の平面図及び側面図である。
【００５７】
図４は、色付き板状紙片３００，３１０，３２０を説明するために示す図である。図４（ａ）は色付き板状紙片３００の平面図及び側面図であり、図４（ｂ）は色付き板状紙片３１０の平面図及び側面図であり、図４（ｃ）は色付き板状紙片３２０の平面図及び側面図である。
【００５８】
図５は、色付き板状紙片４００，４１０，４２０を説明するために示す図である。図５（ａ）は色付き板状紙片４００の平面図及び側面図であり、図５（ｂ）は色付き板状紙片４１０の平面図及び側面図であり、図５（ｃ）は色付き板状紙片４２０の平面図及び側面図である。
【００５９】
図６は、色付き板状紙片５００，５１０，５２０を説明するために示す図である。図６（ａ）は色付き板状紙片５００の平面図及び側面図であり、図６（ｂ）は色付き板状紙片５１０の平面図及び側面図であり、図６（ｃ）は色付き板状紙片５２０の平面図及び側面図である。
【００６０】
図７は、色付き板状紙片６００，６１０，６２０を説明するために示す図である。図７（ａ）は色付き板状紙片６００の平面図及び側面図であり、図７（ｂ）は色付き板状紙片６１０の平面図及び側面図であり、図７（ｃ）は色付き板状紙片６２０の平面図及び側面図である。
【００６１】
図８は、複数の色付き板状紙片を適宜組み合わせて組み立てることにより作製された立体造形物の例を示す図である。図８（ａ）は立体造形物の一例（立体造形物２０）を示す図であり、図８（ｂ）は立体造形物の他の例（立体造形物２２）を示す図である。
【００６２】
図９は、切り込みの幅ｗと色付き板状紙片の厚さｔとの関係を示す図である。図９（ａ）は切り込みの幅ｗが色付き板状紙片の厚さｔと同一の値を有する場合における断面図であり、図９（ｂ）は切り込みの幅ｗが色付き板状紙片の厚さｔの０．９倍の値を有する場合における断面図であり、図９（ｃ）は切り込みの幅ｗが色付き板状紙片の厚さｔの１．０５倍の値を有する場合における断面図である。
【００６３】
図１０及び図１１は、切り込みの形状を説明するために示す図である。図１０（ａ）は実施形態に係る色付き板状紙片１００における切り込み１０６の形状を説明するために示す図であり、図１０（ｂ）は比較例に係る色付き板状紙片１００ａにおける切り込み１０６ａの形状を説明するために示す図であり、図１０（ｃ）は変形例１に係る色付き板状紙片１００ｂにおける切り込み１０６ｂの形状を説明するために示す図であり、図１０（ｄ）は変形例２に係る色付き板状紙片１００ｃにおける切り込み１０６ｃの形状を説明するために示す図である。また、図１１（ａ）は変形例３に係る色付き板状紙片１００ｄにおける切り込み１０６ｄの形状を説明するために示す図であり、図１１（ｂ）は変形例４に係る色付き板状紙片１００ｅにおける切り込み１０６ｅの形状を説明するために示す図であり、図１１（ｃ）は変形例５に係る色付き板状紙片１００ｆにおける切り込み１０６ｆの形状を説明するために示す図であり、図１１（ｄ）は変形例６に係る色付き板状紙片１００ｇにおける切り込み１０６ｇの形状を説明するために示す図である。
【００６４】
図１２は、切り込みの基端角部の形状を説明するために示す図である。図１２（ａ）は色付き板状紙片１００における基端各部１０３の拡大図であり、図１２（ｂ）は変形例７に係る色付き板状紙片１００ｈ（図示せず）における基端各部１０３の拡大図であり、図１２（ｃ）は色付き板状紙片２００における基端各部２０３の拡大図であり、図１２（ｄ）は変形例７に係る色付き板状紙片２００ｈ（図示せず）における基端各部２０３の拡大図であり、図１２（ｅ）は色付き板状紙片３００における基端各部３０３の拡大図であり、図１２（ｆ）は変形例７に係る色付き板状紙片３００ｈ（図示せず）における基端各部３０３の拡大図である。
【００６５】
実施形態に係る色組み合わせ玩具１０は、図１〜図７に示すように、所定の平面形状及び所定の色彩を有する色付き板状紙片を平面形状及び色彩のそれぞれについて複数種類ずつ備え、図８に示すように、これらの色付き板状紙片を適宜組み合わせて組み立てることにより種々の色が組み合わされた立体造形物を作製可能な色組み合わせ玩具である。そして、各色付き板状紙片は、図１０（ａ）に示すように、外周所定部分から内部所定部分に至る非直線状の切り込みを有する。
【００６６】
実施形態に係る色組み合わせ玩具１０においては、色付き板状紙片として、平面形状が円であり、「円の周所定部分」から「円中心（円の内部所定部分）」に至る非直線状の切り込みを有する色付き板状紙片１００，１１０，１２０（図１（ａ）及び図２参照。）と、平面形状が正三角形であり、「正三角形の辺の中点（正三角形の辺所定部分）」から「当該正三角形の辺の中心から対向する頂点に向かって１／２の距離だけ進んだ位置（正三角形の内部所定部分）」に至る非直線状の切り込みを有する色付き板状紙片２００，２１０，２２０（図１（ｂ）及び図３参照。）と、平面形状が正三角形であり、「正三角形の頂点」から「当該正三角形の頂点から対向する辺の中点に向かって１／２の距離だけ進んだ位置（正三角形の内部所定部分）」に至る非直線状の切り込みを有する色付き板状紙片３００，３１０，３２０（図１（ｃ）及び図４参照。）と、平面形状が正方形であり、「正方形の辺の中点（正方形の辺所定部分）」から「正方形の中心（正方形の内部所定部分）」に至る非直線状の切り込みを有する色付き板状紙片４００，４１０，４２０（図１（ｄ）及び図５参照。）と、平面形状が正方形であり、「正方形の頂点」から「正方形の中心（正方形の内部所定部分）」に至る非直線状の切り込みを有する色付き板状紙片５００，５１０，５２０（図１（ｅ）及び図６参照。）と、平面形状が楕円であり、「楕円の長径と交わる周部分（楕円の周所定部分）」から「楕円の中心（楕円の内部所定部分）」に至る非直線状の切り込みを有する色付き板状紙片６００，６１０，６２０（図１（ｆ）及び図７参照。）とを備える。
【００６７】
実施形態に係る色組み合わせ玩具１０においては、色付き板状紙片として、同一平面形状毎に、平面サイズの異なる２以上の色付き板状紙片を備える。例えば、平面形状が円である色付き板状紙片の場合には、図２に示すように、大型サイズの色付き板状紙片１００（直径１２０ｍｍ）、中型サイズの色付き板状紙片１１０（直径７０ｍｍ）及び小型サイズの色付き板状紙片１２０（直径５０ｍｍ）を備える。また、平面形状が正三角形である色付き板状紙片の場合には、図３及び図４に示すように、大型サイズの色付き板状紙片２００，３００（高さ１２０ｍｍ）、中型サイズの色付き板状紙片２１０，３１０（高さ７０ｍｍ）及び小型サイズの色付き板状紙片２２０，３２０（高さ５０ｍｍ）を備える。また、平面形状が正方形である色付き板状紙片の場合には、図５及び図６に示すように、大型サイズの色付き板状紙片４００，５００（一辺１２０ｍｍ）、中型サイズの色付き板状紙片４１０，５１０（一辺７０ｍｍ）及び小型サイズの色付き板状紙片４２０，５２０（一辺５０ｍｍ）を備える。また、平面形状が楕円である色付き板状紙片の場合には、図７に示すように、大型サイズの色付き板状紙片６００（長径１２０ｍｍ）、中型サイズの色付き板状紙片６１０（長径７０ｍｍ）及び小型サイズの色付き板状紙片６２０（長径５０ｍｍ）を備える。
【００６８】
実施形態に係る色組み合わせ玩具１０においては、色付き板状紙片として、同一平面形状毎に、色彩の異なる２以上の色付き板状紙片を備える。例えば、平面形状が円である色付き板状紙片１００，１１０，１２０の場合には、大型サイズの色付き板状紙片１００、中型サイズの色付き板状紙片１２０及び小型サイズの色付き板状紙片１２０のそれぞれについて、色彩の異なる２以上の色付き板状紙片（具体的には、赤色の色付き板状紙片、黄色の色付き板状紙片、緑色の色付き板状紙片、青色の色付き板状紙片、白色の色付き板状紙片及び黒色の色付き板状紙片。）を備える。他の平面形状を有する色付き板状紙片（色付き板状紙片２００，２１０，２２０，３００，３１０，３２０，４００，４１０，４２０，５００，５１０，５２０，６００，６１０，６２０）の場合も同様である。
【００６９】
実施形態に係る色組み合わせ玩具１０においては、各色付き板状紙片の厚さｔは、すべて１．７ｍｍである。また、各色付き板状紙片における切り込みの幅ｗは、すべて各色付き板状紙片の厚さｔと同じで１．７ｍｍである（図９（ａ）参照。）。なお、各色付き板状紙片における切り込みの幅ｗは、切り込みの幅ｗ及び色付き板状紙片の厚さｔが、「０．９×ｔ≦ｗ≦１．０５×ｔ」の関係を満たす場合（具体的には、１．５３ｍｍ（図９（ｂ）参照。）〜１．７９ｍｍ（図９（ｃ）参照。）の範囲内にある場合）には、好適に使用可能である。
【００７０】
実施形態に係る色組み合わせ玩具１０においては、各色付き板状紙片における切り込みは、板状紙片の外周所定部分から内部所定部分に至る非直線状の切り込みであり、具体的には、所定の曲率を有する円の軌跡に沿って形成されている（図１０（ａ）参照。）。
【００７１】
これにより、切り込みが直線状の切り込みの場合（図１０（ｂ）参照。）とは異なり、色付き板状紙片同士が極くわずかに湾曲した状態で嵌め合わされるようになるため、色付き板状紙片同士が紙の剛性でしっかりと強固に嵌め合わされるようになる。その結果、色付き板状紙片同士がぐらぐらして不安定な状態になることが無くなり、実施形態に係る色組み合わせ玩具の使用者は、余計なことに気をつかうことなく「配色を考えながら色付き板状紙片を組み合わせる作業」に専念することができるようになる。
【００７２】
実施形態に係る色組み合わせ玩具１０においては、色付き板状紙片が大型サイズの色付き板状紙片１００，２００，３００，４００，５００，６００である場合には、曲率半径ｒは１８００ｍｍであり、色付き板状紙片が中型サイズの色付き板状紙片１１０，２１０，３１０，４１０，５１０，６１０である場合には、曲率半径ｒは６００ｍｍであり、色付き板状紙片が小型サイズの色付き板状紙片１２０，２２０，３２０，４２０，５２０，６２０である場合には、曲率半径ｒは３００ｍｍである。
【００７３】
なお、実施形態に係る色組み合わせ玩具１０においては、各切り込みは、図１０（ａ）に示すように、所定の曲率半径を有する円の軌跡に沿って形成されているが、本考案はこれに限定されるものではない。例えば、図１０（ｃ）及び図１０（ｄ）に示すように、曲率半径の基礎となる円の中心が図１０（ａ）の場合とは異なる位置であってもよい。また、図１１（ａ）〜図１１（ｃ）に示すように２以上の円弧が組み合わされた形状の切り込みであってもよいし、図１１（ｄ）に示すように２つの線分がなめらかに接続された形状の切り込みであってもよい。
【００７４】
実施形態に係る色組み合わせ玩具１０においては、図１２に示すように、各色付き板状紙片における切り込み１０６，２０６，３０６の基端角部１０３，２０３，３０３には、面取り処理（図１２（ａ）、図１２（ｃ）及び図１２（ｅ）参照。）又は丸め処理（図１２（ｂ）、図１２（ｅ）及び図１２（ｆ）参照。）が施されている。なお、図１２においては、平面形状が円である色付き板状紙片１００，１１０，１２０及び平面形状が正三角形である色付き板状紙片２００，２１０，２２０，３００，３１０，３２０の場合を例示しているが、平面形状が正方形である色付き板状紙片４００，４１０，４２０，５００，５１０，５２０及び平面形状が楕円である色付き板状紙片６００，６１０，６２０の場合も同様である。
【００７５】
２．実施形態に係る色組み合わせ玩具１０の使用方法
【００７６】
図１３は、２つの色付き板状紙片を組み合わせたときの様子を示す図である。図１３（ａ）〜図１３（ｆ）は一の色付き板状紙片（大型サイズの色付き板状紙片１００）と他の色付き板状紙片（中型サイズの色付き板状紙片１１０，２１０，３１０，４１０，５１０，６１０）とを、切り込み同士を嵌め込むように組み合わせたときの様子を示す図であり、図１３（ｇ）〜図１３（ｌ）は一の色付き板状紙片（大型サイズの色付き板状紙片１００）と他の色付き板状紙片（中型サイズの色付き板状紙片１１０，２１０，３１０，４１０，５１０，６１０）とを、他の色付き板状紙片の切り込みを一の色付き板状紙片における板状紙片部に嵌め込むように組み合わせたときの様子を示す図である。
【００７７】
実施形態に係る色組み合わせ玩具１０の使用者は、図１３に示すように、実施形態に係る色組み合わせ玩具１０における各色付き板状紙片を、配色を考えながら適宜組み合わせて組み立てることにより種々の色が組み合わされた立体造形物を作製することができる（図８参照。）。このとき、使用者は、各色付き板状紙片同士を組み合わせる際に、図１３（ａ）〜図１３（ｆ）に示すように、切り込み同士を嵌め込むように組み合わせたり、図１３（ｇ）〜図１３（ｌ）に示すように他の色付き板状紙片の切り込みを一の色付き板状紙片における板状紙片部に嵌め込むように組み合わせたりすることができる。実施形態に係る色組み合わせ玩具１０の使用者は、このような作業を繰り返すことによって、より複雑な構造を有する立体造形物を作製することができる。
【００７８】
３．実施形態に係る色組み合わせ玩具１０の効果
以上説明した実施形態に係る色組み合わせ玩具１０は、所定の平面形状及び所定の色彩を有する色付き板状紙片を平面形状及び色彩のそれぞれについて複数種類ずつ備え、これらの色付き板状紙片を適宜組み合わせて組み立てることにより種々の色が組み合わされた立体造形物を作製可能な色組み合わせ玩具である。このとき、実施形態に係る色組み合わせ玩具１０によれば、所定の平面形状及び所定の色彩を有する色付き板状紙片を平面形状及び色彩のそれぞれについて複数種類ずつ備えているため、実施形態に係る色組み合わせ玩具の使用者は、配色を考えながら色付き板状紙片を適宜組み合わせて立体造形物を組み立てる過程で楽しみながら無理なく配色（特に立体配色）の勉強ができるようになる。
【００７９】
また、実施形態に係る色組み合わせ玩具１０によれば、立体造形作業に馴染みのない使用者であっても、実施形態に係る色組み合わせ玩具を用いて、配色を考えながら色付き板状紙片を適宜組み合わせる作業を行ううちに、いつのまにか、立体造形物の形状に合った配色を有し、ちょっとした飾り物になるほどの立体造形物（オブジェ）を作製することができる。
【００８０】
また、実施形態に係る色組み合わせ玩具１０によれば、色付き板状紙片が、外周所定部分から内部所定部分に至る非直線状の切り込みを有するため、色付き板状紙片同士が極くわずかに湾曲した状態で嵌め合わされるようになる。このため、色付き板状紙片同士が紙の剛性でしっかりと強固に嵌め合わされるようになり、色付き板状紙片同士がぐらぐらして不安定な状態になることが無くなる。その結果、実施形態に係る色組み合わせ玩具の使用者は、余計なことに気をつかうことなく「配色を考えながら色付き板状紙片を組み合わせる作業」に専念することができるようになる。
【００８１】
実施形態に係る色組み合わせ玩具１０によれば、色付き板状紙片は所定の厚さ寸法を有し、切り込みの幅ｗ及び色付き板状紙片の厚さｔは、「０．９×ｔ≦ｗ≦１．０５×ｔ」の関係を満たすため、色付き板状紙片同士をしっかりと強固に嵌め合わせることができるようになる。また、色付き板状紙片同士を組み合わせる際の作業性を良くすることができるようになる。
【００８２】
実施形態に係る色組み合わせ玩具１０によれば、切り込みは、所定の曲率を有する円の軌跡に沿って形成されているため、色付き板状紙片同士をしっかりと強固に嵌め合わせることができるようになる。また、色付き板状紙片同士を嵌め合わせる際の作業性を良くすることができるようになる。さらにまた、色付き板状紙片を構成する紙片に対して切り込みを入れる作業を容易に、かつ、正確に行うことが可能となる。
【００８３】
実施形態に係る色組み合わせ玩具１０によれば、切り込みの長さＬ及び所定の曲率半径ｒは、「０．２５×Ｌ２≦ｒ≦０．６５×Ｌ２」の関係を満たすため、色付き板状紙片同士を嵌め合わせる際の作業性を損なうことなく、色付き板状紙片同士をしっかりと強固に嵌め合わせることができるようになる。
【００８４】
実施形態に係る色組み合わせ玩具１０によれば、切り込みの基端角部には、面取り処理又は丸め処理が施されているため、色付き板状紙片同士を嵌め合わせる際の作業性を良くすることができるようになる。また、切り込みの基端角部が型崩れしてしまうのを効果的に抑制することができるようになる。
【００８５】
実施形態に係る色組み合わせ玩具１０によれば、色付き板状紙片として、同一平面形状毎に、色彩の異なる２以上の色付き板状紙片を備えるため、特定の平面形状を有する色付き板状紙片を他の色付き板状紙片と組み合わせようとしたとき、特定の平面形状を有する色付き板状紙片として、色彩の異なる２以上の色付き板状紙片の中から１の色付き板状紙片を選択することが必要となる。このため、常に配色を考えながら色付き板状紙片を組み合わせて立体造形物を組み立てることができるようになる。また、色の組み合わせの自由度が高くなり、より芸術性の高い立体造形物を作製することができるようになる。
【００８６】
実施形態に係る色組み合わせ玩具１０によれば、色付き板状紙片として、同一平面形状毎に、平面サイズの異なる２以上の色付き板状紙片を備えるため、特定の同一平面形状を有する色付き板状紙片を他の色付き板状紙片と組み合わせようとしたとき、特定の同一平面形状を有する色付き板状紙片の平面サイズの違いにより、組み合わせた後の配色バランスが微妙に変化するため、平面形状、平面サイズをも考慮に入れた上で総合的に配色を考えながら色付き板状紙片を組み合わせて立体造形物を組み立てることができるようになる。
【００８７】
実施形態に係る色組み合わせ玩具１０によれば、色付き板状紙片として少なくとも、平面形状が円である色付き板状紙片と、平面形状が正三角形である２種類の色付き板状紙片と、平面形状が正方形である２種類の色付き板状紙片と、平面形状が楕円である色付き板状紙片を備えるため、基本的な平面形状を有する比較的少ない種類の色付き板状紙片を用いて、バラエティに富んだ立体造形物を作製することができるようになる。
【００８８】
実施形態に係る色組み合わせ玩具１０によれば、色付き板状紙片として少なくとも、色相の異なる２以上の色付き板状紙片を備えるため、バラエティに富んだ立体造形物を作製することができるようになる。
【００８９】
実施形態に係る色組み合わせ玩具１０によれば、色付き板状紙片として少なくとも、赤色の色付き板状紙片と、黄色の色付き板状紙片と、緑色の色付き板状紙片と、青色の色付き板状紙片と、白色の色付き板状紙片と、黒色の色付き板状紙片とを備えるため、比較的少ない色種の色付き板状紙片を用いて、バラエティに富んだ立体造形物を作製することができるようになる。
【００９０】
以上、本考案を上記の実施形態に基づいて説明したが、本考案は上記の実施形態に限定されるものではない。その趣旨を逸脱しない範囲において種々の様態において実施することが可能であり、例えば、次のような変形も可能である。
【００９１】
（１）上記実施形態に係る色組み合わせ玩具１０が備える色付き板状紙片の平面形状、平面サイズ及び色彩は一例であり、本考案はこれに限定されるものではない。
【００９２】
（２）例えば、色付き板状紙片として、平面形状が円の色付き板状紙片、正三角形の色付き板状紙片、正方形の色付き板状紙片、楕円の色付き板状紙片に加えて、平面形状が「正三角形及び正方形」以外の正多角形（例えば、正五角形、正六角形・・・。）である色付き板状紙片を備えてもよいし、平面形状が正多角形以外の多角形（例えば、台形、平行四辺形、平たい六角形・・・。）である色付き板状紙片を備えてもよいし、平面形状が「円及び楕円」以外の丸い形状を有する色付き板状紙片を備えてもよいし、その他任意の平面形状を有する色付き板状紙片を備えてもよい。
【００９３】
（３）また、同一平面形状毎に平面サイズの異なる３種類の色付き板状紙片を備える代わりに、同一平面形状毎に平面サイズの異なる２種類の色付き板状紙片を備えてもよいし、同一平面形状毎に平面サイズの異なる４種類以上の色付き板状紙片を備えてもよい。
【００９４】
（４）また、色付き板状紙片として、表裏とも同じ色彩の色付き板状紙片を備える代わりに、表裏で色彩の異なる色付き板状紙片を備えてもよい。例えば、色付き板状紙片として少なくとも、表が赤色で裏がオレンジ色の色付き板状紙片と、表が山吹色で裏が黄色の色付き板状紙片と、表が黄緑色で裏が緑色の色付き板状紙片と、表が青緑色で裏が青色の色付き板状紙片と、白色の色付き板状紙片と、黒色の色付き板状紙片とを備えてもよい。
【００９５】
（５）また、色付き板状紙片として少なくとも、色相の異なる２以上の色付き板状紙片を備える代わりに、明度の異なる２以上の色付き板状紙片を備えてもよい。例えば、色付き板状紙片として少なくとも、クリーム色の色付き板状紙片と、ベージュ色の色付き板状紙片と、ココア色の色付き板状紙片と、ブラウン色の色付き板状紙片と、白色の色付き板状紙片と、黒色の色付き板状紙片とを備えてもよい。また、表が白色で裏が薄い紫色の色付き板状紙片と、表が明るいグレー色で裏が薄い水色の色付き板状紙片と、表が暗いグレー色で裏が水色の色付き板状紙片と、表が黒色で裏が青色の色付き板状紙片とを備えてもよい。
【００９６】
（６）また、色付き板状紙片として少なくとも、彩度の異なる２以上の色付き板状紙片を備えてもよい。
【００９７】
（７）また、橙色の色付き板状紙、深緑色の色付き板状紙片、紫色の色付き板状、金色の色付き板状紙片、銀色の色付き板状紙片その他任意の色彩の色付き板状紙片を用いてもよい。また、濃淡模様、網掛模様、縞模様、水玉模様その他の模様入りの色付き板状紙片を備えてもよい。
【符号の説明】
【００９８】
１０…色組み合わせ玩具、１００，１１０，１２０，２００，２１０，２２０，３００，３１０，３２０，４００，４１０，４２０，５００，５１０，５２０，６００，６１０，６２０…色付き板状紙片、１０１，１１１，１２１…板状紙片、１０２，１１２，１２２…円周、１０４，１１４，１２４…切り込み基端、１０５，１１５，１２５…切り込み終端、１０６，１１６，１２６…切り込み、２０１，２１１，２２１…板状紙片、２０２，２１２，２２２…辺、２０３，２１３，２２３…頂点、２０４，２１４，２２４…切り込み基端、２０５，２１５，２２５…切り込み終端、２０６，２１６，２２６…切り込み、３０１，３１１，３２１…板状紙片、３０２，３１２，３２２…辺、３０３，３１３，３２３…頂点、３０４，３１４，３２４…切り込み基端、３０５，３１５，３２５…切り込み終端、３０６，３１６，３２６…切り込み、４０１，４１１，４２１…板状紙片、４０２，４１２，４２２…辺、４０３，４１３，４２３…頂点、４０４，４１４，４２４…切り込み基端、４０５，４１５，４２５…切り込み終端、４０６，４１６，４２６…切り込み、５０１，５１１，５２１…板状紙片、５０２，５１２，５２２…辺、５０３，５１３，５２３…頂点、５０４，５１４，５２４…切り込み基端、５０５，５１５，５２５…切り込み終端、５０６，５１６，５２６…切り込み、
６０１，６１１，６２１…板状紙片、６０２，６１２，６２２…楕円周、６０３，６１３，６２３…切り込み基端、６０５，６１５，６２５…切り込み終端、６０６，６１６，６２６…切り込み
【図１】
0003158723.tif 000003
【図２】
0003158723.tif 000004
【図３】
0003158723.tif 000005
【図４】
0003158723.tif 000006
【図５】
0003158723.tif 000007
【図６】
0003158723.tif 000008
【図７】
0003158723.tif 000009
【図９】
0003158723.tif 000010
【図１０】
0003158723.tif 000011
【図１１】
0003158723.tif 000012
【図１２】
0003158723.tif 000013
【図１３】
0003158723.tif 000014
【図１４】
0003158723.tif 000015
【図１５】
0003158723.tif 000016
【図１６】
0003158723.tif 000017
【図８】
0003158723.tif 000018